(57)【特許請求の範囲】
【請求項１】
ランプを内部に配設した照明器具本体に自在に回動して開閉する蓋部を設け、該蓋部の内壁側に前記ランプの取付部を設けると共に係止部を設け、前記照明器具本体側に前記係止部を係止する係止孔を設けた照明器具であって、前記係止部を折り曲げ段差を有する平面部によって構成すると共に該平面部の端部に折り曲げ可能な爪部を設け、前記係止孔に前記係止部を挿入したのち前記爪部を折り曲げて前記係止部と係止孔からなる回動係止部分を形成すると共に、前記係止部の段差部が前記照明器具本体に当接したとき前記蓋部の回動を停止するようにしたことを特徴とする照明器具。
【発明の詳細な説明】
【０００１】
【産業上の利用分野】
本発明は、ランプ交換中にランプが外れて破損したり接触不良などを起こすことがないランプ交換構造を備えた照明器具に関するものである。
【０００２】
【従来の技術】
図７は例えば実公平２ー３８３３２号公報に開示された従来のエッジライト形式の表示用照明器具のランプ交換構造の一例を示す断面図、図８は図７の要部斜視図、図９は図７の正面図、図１０は図９の側面図である。１は表示用照明器具の本体、２は本体１に取付けられ蛍光ペンなどで描かれた文字等を表示する表示パネル、３は表示パネル２を本体１に固定する取り付けネジである。
【０００３】
４は本体１の両端に固定された一対の端板取付台、５は表示パネル２に描かれた文字等を照明する直管状のランプ、６はランプ５を保持するソケット６ａを備え、端板取付台４に回動可能に支持されたソケット台、７はソケット台６を表示パネル２の前後方向（図７の紙面左右方向）に回動自在に支持する回動軸、８はソケット台６に設けられた切起片で、端板取付台４に圧接されている。
【０００４】
９は本体１に取り外し自在に取付けられたランプ５交換用のカバー、１０は本体１の上部に形成された係合溝、１１はカバー９の上部に形成された係合片で、カバー９は係合溝１０に係合片１１によって係合されている。なお、１２はカバー１０の両端に取付けられた端板、１３は端板１２をカバー１０の両端に固定するつまみネジである。
【０００５】
次に、上記のように構成した照明器具のランプ交換時の作用を説明する。まず、照明器具の両側に取付けられた端板１２，１２のつまみネジ１３，１３をゆるめて端板１２を取り外し（図１０、図７）、ついでカバー９を取り外す（図１１）。カバー９の係合片１１は係合溝１０に嵌合しているだけなので、カバー９の取り外しは容易である。
次に、図１１の破線で示すようにソケット台６をランプ５と共に前方に傾けると、切起片８が端板取付台４に圧接されているので、ソケット台６は任意の角度に保持される。この状態で、ランプ５をソケット６ａから取外して新しいランプと交換する。
【０００６】
【発明が解決しようとする課題】
上記のように構成した従来の照明器具のランプ交換構造では、ランプ５の取り外しの際、つまみネジ１３を緩めて端板１２及びカバー９を取外し、ソケット台６を回動しなければならないので手間がかかり、また、ソケット台６が左右に別々に配置されているため、これを回動させるとき片側のみを回動させるとランプ５がねじれて不意に落下したり、ランプピンがねじれたりして破損の原因となる。
またランプ５の取り付けの際も、ランプ５がねじれて回転し、ランプピンとソケット６ａの接触片との接触不良やソケット６ａからランプ５が外れたまま取付けてしまうという恐れがあった。
【０００７】
本発明は上記の課題を解決するためになされたもので、ランプ交換を容易におこなうことができ、またランプ交換時にランプが不意に外れたり、破損したり、接触不良を起こしたり、外れたまま取り付けたりすることのないランプ交換構造を備えた照明器具を得ることを目的とする。
【０００８】
【課題を解決するための手段】
本発明は、ランプを内部に配設した照明器具本体に自在に回動して開閉する蓋部を設け、この蓋部の内壁側にランプの取付部を設けると共に係止部を設け、照明器具本体側に係止部を係止する係止孔を設けた照明器具であって、係止部を折り曲げ段差を有する平面部によって構成すると共にこの平面部の端部に折り曲げ可能な爪部を設け、係止孔に係止部を挿入したのち爪部を折り曲げて係止部と係止孔からなる回動係止部分を形成すると共に、係止部の段差部が照明器具本体に当接したとき蓋部の回動を停止するようにしたものである。
【００１０】
【作用】
照明器具本体の係止孔に蓋部の係止部を挿入し、この係止部の爪部を折り曲げて回動係止部分を形成する。この回動係止部分を軸にして蓋部を回動させると、蓋部が所定の角度例えばほぼ９０度だけ回転したのちに係止部の段差部が照明器具本体に当接して停止する。この状態で、ランプを取り外し、新しいランプと交換する。
ランプを交換したあと、蓋部を回動係止部分を軸にして回動させて、照明器具本体に係止する。
【００１１】
【実施例】
実施例１
図１は本発明の第１の実施例の縦断面図、図２はその全体構成を示す斜視図、図３は図１の要部を拡大した縦断面図、図４は図３の分解斜視図である。図において、１４は照明器具の本体、１５はランプを交換するための開閉部を構成する蓋部、１６は蓋部１５の両端部に取付けられたソケットである。１８はソケット台１６と一体に形成した平面部からなる係止部で、平面部をほぼ９０度折り曲げさらにその折り曲げ方向と逆方向にほぼ９０度折り曲げて段差部を形成し、蓋部１５が開いてほぼ９０度回転したところで、係止部１８の段差部が本体１の平面に当接して、蓋部１５の回転が停止するようにしてある。２０は係止部１８を係止するために本体１４に設けられた係止孔である。１９は係止部１８の端部に折り曲げ可能に形成された爪部で、本体１４の係止孔２０に係止部１８を挿入後、図４の矢印同方向に所定の角度だけ折り曲げ、蓋部１５が本体１４からはずれないようにする。
【００１２】
２１はソケット１７に着脱されるランプ、２２はランプ２１の光を反射させるためランプ２１の周囲に設けられた反射板、２３は反射板２２によって反射された光及びランプ２１からの直接光を透過させるため対面側に取付けられた透光カバーである。なお、２４は蓋部１５を本体１４に固定するつまみネジである。
【００１３】
次に上記のように構成した本発明の作用を説明する。まず、図１に示す照明器具の両側に設けられたつまみネジ２４を緩めると、蓋部１５はランプ２１と共に係止部１８と係止孔２０からなる係止部分を軸にして、自重によって図３の破線で示す位置まで回動する。この状態で、ランプ２１をソケット１７から取外し、新しいランプと交換する。
ランプを交換したあと、蓋部１５を係止部１８と係止孔２０よりなる係止部分を軸にして再び回動させ、本体１４に合わせたあと、つまみネジ２４を用いて図３で示すように固定する。
【００１４】
なお、蓋部１５が図１〜図４に示すように下側に向いていない（側面や上面に向いている）場合は、つまみネジ２４を蓋部１５の孔に差し込んだあと、Ｅリング等で外れ防止をおこなうことにより、つまみネジ２４を保持して開閉動作をおこなうことができる。
【００１５】
実施例２
図５は本発明の第２の実施例の要部を示す斜視図である。第１の実施例では係止部１８及びソケット台１６を蓋部１５と別の部材で構成したが、第２の実施例ではソケット台１６のみを蓋部１５と別の部材で構成し、係止部１８は蓋部１５と一体に構成した。このため、部品点数の削減が可能になる。
【００１６】
実施例３
図６は本発明の第３の実施例の要部を示す斜視図である。第３の実施例では係止部１８とソケット台１６の両方を蓋部１５と一体に構成した。このため、部品点数の削減がさらに可能になる。
【００１７】
【発明の効果】
以上の説明から明らかなように、本発明は、ランプを内部に配設した照明器具本体に自在に回動して開閉する蓋部を設け、該蓋部の内壁側に前記ランプの取付部を設けると共に係止部を設け、前記照明器具本体側に前記係止部を係止する係止孔を設けた照明器具であって、前記係止部を折り曲げ段差を有する平面部によって構成すると共に該平面部の端部に折り曲げ可能な爪部を設け、前記係止孔に前記係止部を挿入したのち前記爪部を折り曲げて前記係止部と係止孔からなる回動係止部分を形成すると共に、前記係止部の段差部が前記照明器具本体に当接したとき前記蓋部の回動を停止するようにしたので、蓋部を開いたときにランプが交換可能な位置に回動する。この際、係止部に設けた段差部により、蓋部は所定の位置に確実に停止する。このため、ランプを交換中にランプが不意に外れて破損したり、ねじれによる接触不良を起こしたり、ソケットから外れたまま取り付けられたりすることがない。また、ランプ交換用の蓋部の回動係止部分を蓋部側に設けた係止部と本体側に設けた係止孔によって形成したので、すっきりとした体裁のよい外観を得ることができる。さらに、係止部に爪部を設けたので、蓋部が本体から外れることがない。
【図面の簡単な説明】
【図１】本発明の第１の実施例の縦断面図である。
【図２】第１の実施例の全体構成を示す斜視図である。
【図３】図１の要部を拡大した断面図である。
【図４】図３の分解斜視図である。
【図５】本発明の第２の実施例の要部を示す斜視図である。
【図６】本発明の第３の実施例の要部を示す斜視図である。
【図７】従来の照明器具のランプ交換構造の一例を示す断面図である。
【図８】図７の要部斜視図である。
【図９】図７の正面図である。
【図１０】図９の側面図である。
【図１１】図７に示す照明器具の作用説明図である。
【符号の説明】
１４  照明器具の本体
１５  蓋部
１６  ソケット台
１７  ソケット
１８  係止部
１９  爪部
２０  係止孔
２１  ランプ
【図１】
0003569824.tif 000002
【図２】
0003569824.tif 000003
【図３】
0003569824.tif 000004
【図４】
0003569824.tif 000005
【図５】
0003569824.tif 000006
【図６】
0003569824.tif 000007
【図７】
0003569824.tif 000008
【図８】
0003569824.tif 000009
【図９】
0003569824.tif 000010
【図１０】
0003569824.tif 000011
【図１１】
0003569824.tif 000012